(57)【要約】【課題】  分割映像処理装置および方法、または制御因子計算装置を提供する。【解決手段】  分割映像処理装置は、入力映像をｎ個の分割映像に分割する映像分割部と、分割映像を制御因子に基づいて処理するｎ個の分割映像処理部と、分割映像処理部それぞれに対する制御因子を計算する制御因子計算部と、分割映像それぞれの結果映像を合成して最終出力映像を生成する出力映像合成部とを備える。【選択図】      図１
2009111969.tif 000002
【特許請求の範囲】
【請求項１】
入力映像をｎ個の分割映像に分割する映像分割部と、
前記分割映像を制御因子に基づいて処理するｎ個の分割映像処理部と、
前記分割映像処理部それぞれに対する前記制御因子を計算する制御因子計算部と、
前記分割映像それぞれの結果映像を合成して最終出力映像を生成する出力映像合成部と、
を備えることを特徴とする分割映像処理装置。
【請求項２】
前記制御因子計算部は、
前記分割映像処理部それぞれから受信した特徴値を用いて前記制御因子を計算することを特徴とする請求項１に記載の分割映像処理装置。
【請求項３】
前記制御因子計算部は、
前記入力映像に対する参照映像を用いて前記制御因子を計算することを特徴とする請求項１に記載の分割映像処理装置。
【請求項４】
前記参照映像、前記入力映像とは異なる解像度を有する映像を含むことを特徴とする請求項３に記載の分割映像処理装置。
【請求項５】
前記制御因子は、全域統計特性および非統計特性のうちの１つの特性を含み、
前記制御因子計算部は、
統計特性および非統計特性のうちで用いられる１つの特性を選択する特性選択部と、
前記分割映像処理部それぞれから受信された分割映像に基づいて計算された前記統計特性を用いて前記全域統計特性を計算する統計特性計算部と、
前記入力映像に対する参照映像に基づいて前記非統計特性を計算する非統計特性計算部と、
を備えることを特徴とする請求項１に記載の分割映像処理装置。
【請求項６】
ｎ個の分割映像処理部から受信された特性値に基づいて制御因子を計算する制御因子計算部と、
前記制御因子を前記分割映像処理部それぞれに送信する制御因子送信部と、
を備えることを特徴とする制御因子計算装置。
【請求項７】
前記制御因子は、全域統計特性を含み、
前記制御因子計算部は、
前記分割映像処理部それぞれで計算された統計特性を用いて前記全域統計特性を計算することを特徴とする請求項６に記載の制御因子計算装置。
【請求項８】
前記分割映像処理部それぞれは、前記制御因子に基づいて入力された分割映像を処理し、
前記分割映像処理部それぞれで処理された分割映像は、１つの最終出力映像に合成されることを特徴とする請求項６に記載の制御因子計算装置。
【請求項９】
入力映像に基づいて制御因子を計算する制御因子計算部と、
前記制御因子をｎ個の分割映像処理部それぞれに送信する制御因子送信部と、
を備えることを特徴とする制御因子計算装置。
【請求項１０】
前記制御因子は、非統計特性を含み、
前記制御因子計算部は、
前記入力映像とは異なる解像度を有する参照映像を用いて前記非統計特性を計算することを特徴とする請求項９に記載の制御因子計算装置。
【請求項１１】
前記分割映像処理部それぞれは、前記制御因子に基づいて入力された分割映像を処理し、
前記分割映像処理部それぞれで処理された分割映像は、１つの最終出力映像に合成されることを特徴とする請求項９に記載の制御因子計算装置。
【請求項１２】
入力映像をｎ個の分割映像に分割するステップと、
前記分割映像それぞれに対する制御因子を計算するステップと、
前記制御因子に基づいて前記分割映像を処理するステップと、
前記処理された分割映像それぞれの結果映像を合成して最終出力映像を生成するステップと、
を含むことを特徴とする分割映像処理方法。
【請求項１３】
前記分割映像それぞれに対する制御因子を計算する前記ステップは、
前記分割映像それぞれから抽出された特徴値を用いて前記制御因子を計算するステップ、
を含むことを特徴とする請求項１２に記載の分割映像処理方法。
【請求項１４】
前記分割映像それぞれに対する制御因子を計算する前記ステップは、
前記入力映像に対して生成された参照映像を用いて前記制御因子を計算するステップ、
を含むことを特徴とする請求項１２に記載の分割映像処理方法。
【請求項１５】
前記参照映像は、前記入力映像とは異なる解像度を有する映像を含むことを特徴とする請求項１４に記載の分割映像処理方法。
【請求項１６】
前記分割映像それぞれに対する制御因子を計算する前記ステップは、
統計特性および非統計特性のうちで用いられる１つの特性を選択するステップと、
前記統計特性が選択される場合に、前記分割映像に対して計算された統計特性を用いて全域統計特性を前記制御因子として計算するステップと、
を含むことを特徴とする請求項１２に記載の分割映像処理方法。
【請求項１７】
前記分割映像それぞれに対する制御因子を計算する前記ステップは、
前記非統計特性が選択される場合に、前記入力映像に対して生成された参照映像に基づいて前記非統計特性を前記制御因子として計算するステップ、
を含むことを特徴とする請求項１６に記載の分割映像処理方法。
【請求項１８】
請求項１２の方法を実行させるためのプログラムを記録したコンピュータ読み取り可能な記録媒体。
【発明の詳細な説明】
【技術分野】
【０００１】
本発明は、分割映像処理装置および方法、または制御因子計算装置に関する。
【背景技術】
【０００２】
近年、デジタルシネマの登場により、既存のフルＨＤ（ｆｕｌｌ  ｈｉｇｈ  ｄｅｆｉｎｉｔｉｏｎ）級の解像度（１９２０×１０８０）を越える超高解像度（４０９６×２１６０／３８４０×２１６０）映像のディスプレイ装置に対する関心が増幅している。全世界の多数のディスプレイ会社および放送研究所において、超高解像度ディスプレイに関する研究およびシステムの開発が進行中であるが、一部のディスプレイ会社では液晶ディスプレイ（ＬＣＤ）を中心として超高解像度ディスプレイの実験試作品を開発発表した。このような超高精密映像は、既存のＨＤ放送に比べて走査線数が２，０００本を越えながら、視野角の拡大によって現実感のある映像表現が可能であると予想されている。このためには、既存のＨＤ級ディスプレイ適用の映像処理技術と差別化した次世代超高解像度ディスプレイ対応の映像処理技術の開発が切に求められている。
【発明の開示】
【発明が解決しようとする課題】
【０００３】
本発明は、入力映像の解像度を領域分割して並列的に処理する分割映像処理装置および方法を提供することを目的とする。
【０００４】
また、本発明は、分割映像それぞれに独立的に実行される映像処理によって発生する分割映像間の画質不均衡の問題を各分割映像処理プロセッサ間の相互制御（ｉｎｔｅｒａｃｔｉｖｅ  ｃｏｎｔｒｏｌ）によって適応的に処理する分割映像処理装置および方法を提供することを他の目的とする。
【０００５】
さらに、本発明は、分割映像処理プロセスで分割映像を処理するときに、相互制御に用いることができる制御因子を計算して分割映像処理プロセスに提供する制御因子計算装置を提供することをさらに他の目的とする。
【課題を解決するための手段】
【０００６】
本発明の一実施形態に係る分割映像処理装置は、入力映像をｎ個の分割映像に分割する映像分割部と、前記分割映像を制御因子に基づいて処理するｎ個の分割映像処理部と、前記分割映像処理部それぞれに対する前記制御因子を計算する制御因子計算部と、前記分割映像それぞれの結果映像を合成して最終出力映像を生成する出力映像合成部とを備える。
【０００７】
本発明の一側面によれば、前記制御因子計算部は、前記分割映像処理部それぞれから受信した特徴値を用いて前記制御因子を計算することができる。
【０００８】
本発明の一側面によれば、前記制御因子計算部は、前記入力映像に対する参照映像を用いて前記制御因子を計算することができる。このとき、前記参照映像は、前記入力映像とは異なる解像度を有する映像を含むことができる。
【０００９】
本発明の一側面によれば、前記制御因子は、全域統計特性（ｇｌｏｂａｌ  ｓｔａｔｉｓｔｉｃａｌ  ｆｅａｔｕｒｅ）および非統計特性のうちの１つの特性を含むことができ、前記制御因子計算部は、統計特性および非統計特性のうちの用いられる１つの特性を選択する特性選択部と、前記分割映像処理部それぞれから受信された分割映像に基づいて計算された前記統計特性を用いて前記全域統計特性を計算する統計特性計算部と、前記入力映像に対する参照映像に基づいて前記非統計特性を計算する非統計特性計算部とを備えることができる。
【００１０】
本発明の一実施形態に係る制御因子計算装置は、ｎ個の分割映像処理部から受信された特性値に基づいて制御因子を計算する制御因子計算部と、前記制御因子を前記分割映像処理部それぞれに送信する制御因子送信部とを備える。
【００１１】
本発明の一実施形態に係る制御因子計算装置は、入力映像に基づいて制御因子を計算する制御因子計算部と、前記制御因子をｎ個の分割映像処理部それぞれに送信する制御因子送信部と備える。
【００１２】
本発明の一実施形態に係る分割映像処理方法は、入力映像をｎ個の分割映像に分割するステップと、前記分割映像それぞれに対する制御因子を計算するステップと、前記制御因子に基づいて前記分割映像を処理するステップと、前記処理された分割映像それぞれの結果映像を合成して最終出力映像を生成するステップとを含む。
【発明の効果】
【００１３】
本発明によれば、入力映像の解像度を領域分割して並列的に処理する分割映像処理装置および方法を提供することができる効果がある。
【００１４】
また、本発明によれば、分割映像それぞれに独立的に実行される映像処理によって発生する分割映像間の画質不均衡の問題を各分割映像処理プロセッサ間の相互制御によって適応的に処理する分割映像処理装置および方法を提供することができる効果がある。
【００１５】
さらに、本発明によれば、分割映像処理プロセスで分割映像を処理するときに、相互制御に用いることができる制御因子を計算して分割映像処理プロセスに提供する制御因子計算装置を提供することができる効果がある。
【発明を実施するための最良の形態】
【００１６】
以下、添付の図面を参照しながら、本発明に係る多様な実施形態について詳しく説明する。
【００１７】
図１は、入力映像を分割して処理する方法を概括的に説明するための一例である。ここで、図１は、高解像度映像の分割処理による画質劣化の問題を解決するための方法の一例であって、分割映像処理装置は、１つの入力映像１１０を４つの分割映像１１１〜１１４に分割１２１し、分割映像１１１〜１１４それぞれを処理１２３〜１２６し、その出力映像１３１〜１３４を合成１２７することによって最終出力映像１３０を得る方法を示している。分割映像１１１〜１１４は、４つのイメージプロセッサでそれぞれ処理１２３〜１２６されるようになる。
【００１８】
このとき、分割映像処理装置は、制御因子を計算１２２してイメージプロセッサそれぞれに送信し、イメージプロセッサそれぞれは、分割映像１１１〜１１４のうちの該当する映像と制御因子に基づいて、出力映像１３１〜１３４のうちの該当する映像を生成することができる。
【００１９】
すなわち、イメージプロセッサそれぞれは、同じ機能を有する独立したプロセッサであって、色相、ディテール、質感（Ｔｅｘｔｕｒｅ）など多様な画質要素に対する改善アルゴリズムによって、分割映像１１１〜１１４のうちの該当する映像を処理することができる。また、分割映像処理装置は、制御因子によってイメージプロセッサを相互制御（インタラクティブ  コントロール）することによって、画質不均一の問題を解決することができる。
【００２０】
このように分割映像を処理する方法および装置、制御因子を計算する方法および装置については、図２〜図８を参照しながらより詳しく説明する。また、図１は、入力映像を４つに分割し、分割された分割映像を４つのイメージプロセッサでそれぞれ処理する方法を説明しているが、これは本発明のより全般的な理解のために提供されたものに過ぎず、本発明がこのような実施形態に限定されものではない。また、本発明が属する分野において通常の知識を有する者であれば、このような記載から多様な修正および変形が可能である。例えば、入力映像を８つに分割し、分割された分割映像を８つのイメージプロセッサを介して処理することもできる。すなわち、入力映像の分割数とイメージプロセッサ数は、必要に応じて変更することができる。
【００２１】
図２は、本発明の一実施形態において、分割映像処理装置の内部構成を説明するためのブロック図である。ここで、分割映像処理装置２００は、図２に示すように、映像分割部２１０と、ｎ個の分割映像処理部２２０と、制御因子計算部２３０と、出力映像合成部２４０とを備える。このとき、ｎ個の分割映像処理部２２０それぞれは、図１を参照しながら説明したイメージプロセッサにそれぞれ対応することができる。
【００２２】
映像分割部２１０は、入力映像をｎ個の分割映像に分割する。例えば、超高解像度映像を処理するためには、映像処理アルゴリズムおよびハードウェアの複雑度が幾何級数的に増加するようになる。したがって、超高解像度映像のような入力映像を処理する場合に、分割映像処理装置２００は、映像分割部２１０を用いて入力映像をｎ個の分割映像に分割し、分割映像それぞれがｎ個の分割映像処理部２２０それぞれに対する入力映像のように処理されるようにできる。
【００２３】
ｎ個の分割映像処理部２２０は、分割映像を制御因子に基づいて処理する。すなわち、ｎ個の分割映像処理部２２０それぞれは、映像分割部２１０からｎ個の分割映像のうちの該当する分割映像を受信し、受信した分割映像を制御因子に基づいて処理することができる。このために、ｎ個の分割映像処理部２２０それぞれは、受信した分割映像に対する特徴値を計算して制御因子計算部２３０に送信し、制御因子計算部２３０から制御因子を受信することができる。
【００２４】
制御因子計算部２３０は、ｎ個の分割映像処理部２２０それぞれに対する制御因子を計算する。このとき、制御因子計算部２３０は、ｎ個の分割映像処理部２２０それぞれから受信した特徴値を用いて制御因子を計算することができる。
【００２５】
また、特徴値は統計特性を含むことができるし、制御因子は統計特性に対する全域統計特性を含むことができる。例えば、特徴値は、分割映像に対する明度値、彩度値、ピクセル値の差などのように多様な要素を統計特性として含むことができる。また、制御因子は、統計特性の値に対する平均、分散、標準偏差などのような値を全域統計特性として含むことができる。
【００２６】
出力映像合成部２４０は、分割映像それぞれの結果映像を合成して最終出力映像を生成する。すなわち、出力映像合成部２４０は、ｎ個の分割映像に対するｎ個の結果映像を合成して最終出力映像を生成するのである。このとき、ｎ個の結果映像は、制御因子計算部２３０で分割映像それぞれの特徴値を用いて計算された制御信号によってｎ個の分割映像処理部２２０で相互制御されて生成され、出力映像合成部２４０で合成されるため、画質不均一の問題を解決することができる。
【００２７】
図３は、本発明の一実施形態において、分割映像処理装置の他の内部構成を説明するためのブロック図である。ここで、分割映像処理装置は、図３に示すように、映像分割部３１０と、ｎ個の分割映像処理部３２０と、制御因子計算部３３０と、出力映像合成部３４０とを含む。このとき、映像分割部３１０および出力映像合成部３４０は、図２を参照しながら説明した映像分割部２１０および出力映像合成部２４０にそれぞれ対応することができる。
【００２８】
ｎ個の分割映像処理部３２０は、分割映像を制御因子に基づいて処理する。このとき、ｎ個の分割映像処理部３２０は、図２とは異なり、映像分割部３１０から受信した分割映像に対して特性値を計算しない。
【００２９】
制御因子計算部３３０は、ｎ個の分割映像処理部３２０それぞれに対する制御因子を計算する。このとき、制御因子計算部３３０は、入力映像に対する参照映像を用いて制御因子を計算することができる。ここで、参照映像は、入力映像とは異なる解像度を有する映像を含むことができる。例えば、制御因子計算部３３０は、入力映像を受信し、入力映像の解像度を低めて参照映像を生成することができる。
【００３０】
このように、制御因子計算部３３０は、低い解像度で生成された参照映像の非統計特性に基づいて制御因子を計算し、制御因子をｎ個の分割映像処理部３２０それぞれに送信することで、ｎ個の分割映像処理部３２０で制御因子に基づいて分割映像を処理するようにできる。
【００３１】
図２および図３において、制御因子計算部２３０および３３０は、それぞれ特徴値または参照映像を用いて制御因子を計算する。しかし、さらに他の分割映像処理装置の分割映像処理部および制御因子計算部は、図２および図３のｎ個の分割映像処理部２２０および３２０と制御因子計算部２３０および３３０の機能をすべて含んで選択的に制御因子を計算することもできる。
【００３２】
図４は、本発明の一実施形態において、分割映像処理装置のさらに異なる内部構成を説明するためのブロック図である。図４は、統計特性と非統計特性のうちの１つを選択して分割映像を処理する分割映像処理装置の制御因子計算部４００の内部構成を示している。このとき、制御因子は、全域統計特性および非統計特性のうちの１つの特性を含むことができる。
【００３３】
このような制御因子計算部４００は、図４に示すように、統計特性および非統計特性のうちの用いられる１つの特性を選択する特性選択部４０１と、分割映像処理部それぞれから受信された分割映像に基づいて計算された統計特性を用いて全域統計特性を計算する統計特性計算部４０２と、入力映像に対する参照映像に基づいて非統計特性を計算する非統計特性計算部４０３とを含むことができる。
【００３４】
すなわち、制御因子計算部４００は、特性選択部４０１における選択により、統計特性計算部４０２または非統計特性計算部４０３を介して全域統計特性または非統計特性を制御因子として計算することができる。このような統計特性計算部４０２は、図２で説明した制御因子計算部２３０に、非統計特性計算部４０３は、図３で説明した制御因子計算部３３０にそれぞれ対応することができる。
【００３５】
図５は、本発明の一実施形態において、分割映像処理方法を示したフローチャートである。
【００３６】
ステップＳ５０１で、分割映像処理装置は、入力映像をｎ個の分割映像に分割する。例えば、超高解像度映像を処理するためには、映像処理アルゴリズムおよびハードウェアの複雑度が幾何級数的に増加するようになる。したがって、超高解像度映像のような入力映像を処理する場合に、分割映像処理装置は、ステップＳ５０１でのように入力映像をｎ個の分割映像に分割し、分割映像それぞれを入力映像のように処理することができる。
【００３７】
ステップＳ５０２で、分割映像処理装置は、分割映像それぞれに対する制御因子を計算する。このとき、分割映像処理装置は、ｎ個の分割映像それぞれに対する特徴値を計算し、特徴値を用いて制御因子を計算することができる。この場合に、特徴値は統計特性を含むことができるし、制御因子は統計特性に対する全域統計特性を含むことができる。例えば、特徴値は、分割映像に対する明度値、彩度値、ピクセル値の差などのように多様な要素を統計特性として含むことができる。また、制御因子は、統計特性の値に対する平均、分散、標準偏差などのような値を全域統計特性として含むことができる。
【００３８】
これとは異なる方法として、分割映像処理装置は、入力映像に対する参照映像を用いて制御因子を計算することもできる。ここで、参照映像は、入力映像とは異なる解像度を有する映像を含むことができる。例えば、分割映像処理装置は、入力映像の解像度を低めて参照映像を生成することができる。すなわち、分割映像処理装置は、低い解像度で生成された参照映像の非統計特性に基づいて制御因子を計算し、制御因子に基づいて分割映像を処理することができる。
【００３９】
さらに異なる他の方法として、分割映像処理装置は、統計特性および非統計特性のうちの用いられる１つの特性を選択し、統計特性が選択される場合には、分割映像に対して計算された統計特性を用いて全域統計特性を制御因子として計算することができる。これとは反対に、非統計特性が選択される場合には、入力映像に対して生成された参照映像に基づいて非統計特性を制御因子として計算することができる。
【００４０】
ステップＳ５０３で、分割映像処理装置は、制御因子に基づいて分割映像を処理する。すなわち、分割映像処理装置は、制御因子を計算した後に、制御因子によって分割映像を処理して結果映像を生成することができる。本明細書において、映像に対する「処理」は、イメージプロセッシングと関連したすべてのプロセッシングのうちの少なくとも１つのプロセッシングを含むことができる。
【００４１】
ステップＳ５０４で、分割映像処理装置は、処理された分割映像それぞれの結果映像を合成して最終出力映像を生成する。すなわち、分割映像処理装置は、ｎ個の分割映像に対するｎ個の結果映像を合成して最終出力映像を生成する。このとき、ｎ個の結果映像は、分割映像それぞれの特徴値または入力映像に対する参照映像を用いて計算された制御信号を用いた分割映像間の相互制御によって計算され、最終出力映像に合成されるため、画質不均一の問題を解決することができる。
【００４２】
図６は、本発明の一実施形態において、制御因子計算装置の内部構成を説明するためのブロック図である。ここで、制御因子計算装置６００は、図２〜図４を参照しながら説明した多様な制御因子計算部に対応することができる。すなわち、制御因子計算装置６００は、図２〜図５を参照しながら説明したように、多様な方法で制御因子を計算することができる。基本的に、制御因子計算装置６００は、図６に示すように、制御因子計算部６０１および制御因子送信部６０２を備えることができる。ここでは、３つの方法の例を用いながら制御因子計算装置６００を説明する。
【００４３】
１つ目の方法として、制御因子計算部６０１は、ｎ個の分割映像処理部から受信された特性値に基づいて制御因子を計算する。この場合に、制御因子は全域統計特性を含むことができ、制御因子計算部６０１は、分割映像処理部それぞれで計算された統計特性を用いて全域統計特性を計算することができる。このとき、特徴値は統計特性を含むことができるし、制御因子は統計特性に対する全域統計特性を含むことができる。例えば、特徴値は、分割映像に対する明度値、彩度値、ピクセル値の差などのように多様な要素を統計特性として含むことができる。また、制御因子は、統計特性の値に対する平均、分散、標準偏差などのような値を全域統計特性として含むことができる。
【００４４】
２つ目の方法として、制御因子計算部６０１は、入力映像に基づいて制御因子を計算する。この場合に、制御因子は非統計特性を含むことができ、制御因子計算部６０１は、入力映像とは異なる解像度を有する参照映像を用いて非統計特性を計算することができる。ここで、参照映像は、入力映像とは異なる解像度を有する映像を含むことができる。例えば、制御因子計算部６０１は、入力映像の解像度を低めて参照映像を生成することができる。すなわち、制御因子計算部６０１は、低い解像度で生成された参照映像の非統計特性に基づいて制御因子を計算することができる。
【００４５】
最後に、制御因子計算部６０１は、上述した２つの方法をすべて処理することができ、必要に応じて２つの方法のうちの１つの方法を選択して制御因子を計算することができる。
【００４６】
制御因子送信部６０２は、制御因子計算部６０１で計算された制御因子を分割映像処理部にそれぞれ送信する。ここで、分割映像処理部それぞれは、制御因子に基づいて入力された分割映像を処理することができ、分割映像処理部それぞれで処理された分割映像は、１つの最終出力映像に合成されるようになる。
【００４７】
図７は、制御因子を計算する方法を説明するための一例である。ここで、図７は、分割映像処理部の最大値／最小値を用いて高解像度映像全体の最大値／最小値を予測する一例を示している。このとき、制御因子計算部７０１は、４つの分割映像処理部それぞれで生成された特性値を用いて制御因子を計算することができる。
【００４８】
制御因子計算部７０１は、分割映像処理部それぞれで生成された特性値である第１最大値／第１最小値７０２、第２最大値／第２最小値７０３、第３最大値／第３最小値７０４、および第４最大値／第４最小値７０５を受信する。
【００４９】
このとき、制御因子計算部７０１は、第１最大値／第１最小値７０２および第２最大値／第２最小値７０３に対して統計的な方法を適用して第５最大値／第５最小値７０６を計算し、第３最大値／第３最小値７０４および第４最大値／第４最小値７０５に対して統計的な方法を適用して第６最大値／第６最小値７０７を計算することができる。また、制御因子計算部７０１は、第５最大値／第５最小値７０６および第６最大値／第６最小値７０７に対して統計的な方法を適用して全域最大値／最小値７０８を制御因子として計算することができる。この場合に、統計的な方法としては、例えば、最大値間または最小値間の平均をそれぞれ計算する方法が用いられるようになる。
【００５０】
図８は、制御因子を計算する方法を説明するための他の一例である。ここで、制御因子計算部８００は、参照映像を生成８１０し、参照映像から制御因子誘導８２０によって制御因子８３０を計算することができる。すなわち、制御因子計算部８００は、入力映像８１１に対するサブサンプリング（ｓｕｂｓａｍｐｌｉｎｇ）８１２を実行し、サブサンプリング８１２の結果にローパスフィルタ８１３を適用するフィルタリングによって参照映像を得ることができる。このように得られた参照映像は、入力映像に比べて低解像度を有するようになり、制御因子計算部８００は、低解像度の参照映像を用いて制御因子８３０を計算するため、演算量および演算速度を改善することができるようになる。
【００５１】
なお、本発明に係る実施形態は、コンピュータにより具現される多様な動作を実行するためのプログラム命令を含むコンピュータ読取可能な記録媒体を含む。当該記録媒体は、プログラム命令、データファイル、データ構造などを単独または組み合わせて含むこともでき、記録媒体およびプログラム命令は、本発明の目的のために特別に設計されて構成されたものでもよく、コンピュータソフトウェア分野の技術を有する当業者にとって公知であり使用可能なものであってもよい。コンピュータ読取可能な記録媒体の例としては、ハードディスク、フロッピー（登録商標）ディスク及び磁気テープのような磁気媒体、ＣＤ−ＲＯＭ、ＤＶＤのような光記録媒体、フロプティカルディスクのような磁気−光媒体、およびＲＯＭ、ＲＡＭ、フラッシュメモリなどのようなプログラム命令を保存して実行するように特別に構成されたハードウェア装置が含まれる。また、記録媒体は、プログラム命令、データ構造などを保存する信号を送信する搬送波を含む光または金属線、導波管などの送信媒体でもある。プログラム命令の例としては、コンパイラによって生成されるもののような機械語コードだけでなく、インタプリタなどを用いてコンピュータによって実行される高級言語コードを含む。前記したハードウェア要素は、本発明の動作を実行するために一以上のソフトウェアモジュールとして作動するように構成することができ、その逆もできる。
【００５２】
上述したように、本発明の好ましい実施形態を参照して説明したが、該当の技術分野において熟練した当業者にとっては、特許請求の範囲に記載された本発明の思想および領域から逸脱しない範囲内で、本発明を多様に修正および変更させることができることを理解することができるであろう。すなわち、本発明の技術的範囲は、特許請求の範囲に基づいて定められ、発明を実施するための最良の形態により制限されるものではない。
【図面の簡単な説明】
【００５３】
【図１】入力映像を分割して処理する方法を概括的に説明するための一例である。
【図２】本発明の一実施形態において、分割映像処理装置の内部構成を説明するためのブロック図である。
【図３】本発明の一実施形態において、分割映像処理装置の他の内部構成を説明するためのブロック図である。
【図４】本発明の一実施形態において、分割映像処理方法を示したフローチャートである。
【図５】本発明の一実施形態において、制御因子計算装置の内部構成を説明するためのブロック図である。
【図６】制御因子を計算する方法を説明するための一例である。
【図７】制御因子を計算する方法を説明するための他の一例である。
【図８】制御因子を計算する方法を説明するためのさらに他の一例である。
【符号の説明】
【００５４】
１１０  入力映像
１１１、１１２、１１３、１１４  分割映像
１２１  入力映像分割
１２２  制御因子計算
１２３、１２４、１２５、１２６  分割映像処理
１２７  出力映像合成
１３０  最終出力映像
１３１、１３２、１３３、１３４  出力映像
２００  分割映像処理装置
２１０、３１０  映像分割部
２２０、３２０  分割映像処理部
２３０、３３０、４００、８００  制御因子計算部
２４０、３４０  出力映像合成部
４０１  特性選択部
４０２  統計特性計算部
４０３  非統計特性計算部
６００  制御因子計算装置
６０１、７０１  制御因子計算部
６０２  制御因子送信部
８１０  生成
８１１  入力映像
８１２  サブサンプリング
８１３  ローパスフィルタ
８２０  制御因子誘導
８３０  制御因子
【図１】
2009111969.tif 000003
【図２】
2009111969.tif 000004
【図３】
2009111969.tif 000005
【図４】
2009111969.tif 000006
【図５】
2009111969.tif 000007
【図６】
2009111969.tif 000008
【図７】
2009111969.tif 000009
【図８】
2009111969.tif 000010